(57)【要約】      （修正有）【課題】装飾台に供えられる花卉類を見栄え良く演出することができる棺台を提供する。【解決手段】棺台は、棺５０を載置する載置台１２と、載置台を下方から支持する基台１４を備え、基台には花卉類５２を供える装飾台４４を備え、載置台１２には装飾台に供えられた花卉類を上方から照射する複数のＬＥＤを備える。ＬＥＤに照らし出された花卉類は花弁や葉の間に陰影等が表出され、葬儀の参列者等に対して最も美しく見えるように演出される。【選択図】図６
0003200180.tif 000002
【実用新案登録請求の範囲】
【請求項１】
棺を載置する載置台と、
前記載置台を下方から支持する基台を備える棺台において、
前記基台が、装飾台を備え、
前記載置台が、前記装飾台に供えられる花卉類を照射する照明手段を備えることを特徴とする、
棺台。
【請求項２】
前記照明手段が、前記載置台の裏面に設けられ、前記装飾台が前記載置台の下方に設けられていることを特徴とする、
請求項１に記載の棺台。  
【請求項３】
前記照明手段が、前記装飾台の直上の位置に連続的に配置される複数のＬＥＤで構成されていることを特徴とする、
請求項１または２に記載の棺台。
【請求項４】
前記装飾台が、前記基台を構成する横板と縦板との間に形成される凹状の空間によって形成されることを特徴とする、
請求項１乃至３の何れかに記載の棺台。
【考案の詳細な説明】
【技術分野】
【０００１】
本考案は葬儀や告別式に供する棺台に関する。
【背景技術】
【０００２】
従来、葬儀や告別式では白木祭壇と呼ばれる白木を使用した厳粛な雰囲気の祭壇が用いられてきた。しかしながら葬儀の形態が多様化した今日においては、家族葬など故人と近しい関係にあった者だけで葬儀を行うことも増えてきている。このような葬儀は一般に小規模であるため、白木祭壇のような仰々しい祭壇よりは簡素なものが好まれる傾向にある。そのような祭壇の例として、特許文献１に開示された花祭壇を挙げることができる。
【先行技術文献】
【特許文献】
【０００３】
【特許文献１】意匠登録第１３９７５９５号公報
【考案の概要】
【考案が解決しようとする課題】
【０００４】
花祭壇にはいくつかの種類があるが、特許文献１に開示されたものは棺台の周囲に花を挿し込むための網を着脱自在に装着して使用するものである。着脱式のものは汎用性が高い反面、着脱に手間がかかるとともに離脱した部位を収納しておくスペース等が必要になり、利便性の面で多少不利な点があることは否めない。また網目に花茎の一本一本を挿し込んでいく必要があるため、全ての花を供え終わるのに時間を要し、葬儀後の花の処分や清掃も一苦労である。また供えた花は照明を調整してより綺麗に見えるように演出を施すことが望ましいが、特許文献１に開示された花祭壇では内蔵されたＬＥＤが仏燈として用いられるのみであり、花に対する光の演出は考慮されていない。
【課題を解決するための手段】
【０００５】
本考案は、前述した課題を解決すべく考案されたものである。
【０００６】
本考案の第１の態様は、棺を載置する載置台と、前記載置台を下方から支持する基台を備える棺台において、前記基台が装飾台を備え、前記載置台が、前記装飾台に供えられる花卉類を照射する照明手段を備えることを特徴とする、棺台である。
【０００７】
本考案の第１の態様によると、装飾台が棺台に一体的に備えられ、花卉類を照射することによって華やかな演出を施すことができる棺台を提供することができる。
【０００８】
本考案の第２の態様は、第１の態様において、前記照明手段が前記載置台の裏面に設けられ、前記装飾台が前記載置台の下方に設けられていることを特徴とする、棺台である。  
【０００９】
本考案の第２の態様によると、花卉類を上方から照射することによって側方から見たときに陰影を表出することができる棺台を提供することができる。また装飾台が載置台の下方に設けられることによって側方向の必要スペースを極小化した棺台を提供することができる。
【００１０】
本考案の第３の態様は、第１または第２の態様において、前記照明手段が、前記装飾台の直上の位置に連続的に配置される複数のＬＥＤで構成されていることを特徴とする、棺台である。
【００１１】
本考案の第３の態様によると、複数のＬＥＤを用いて装飾台に供えられる花卉類を省電力でムラなく照射することができる棺台を提供することができる。またＬＥＤは他の光源に比べて照射範囲が狭く、また発光波長の幅が小さいという特徴があることから、花卉類の育成に適さない波長の光を照射することにより、長時間照射しても花卉類を当初の状態に維持することが可能になる。
【００１２】
本考案の第４の態様は、第１乃至第３の態様の何れかにおいて、前記装飾台が、前記基台を構成する横板と縦板との間に形成される凹状の空間によって形成されることを特徴とする、棺台である。
【００１３】
本考案の第４の態様によると、縦板で仕切られた凹状の装飾台に供えた花卉類の下部は参列者には見えないため、鉢植えの状態もしくは切花の茎の部分に給水スポンジを装着したままの状態で花卉類を供えることができる。
【図面の簡単な説明】
【００１４】
【図１】棺台の正面図
【図２】棺台の側面図
【図３】棺台の平面図
【図４】棺台の底面図
【図５】載置台の底面図
【図６】棺台の使用の一形態を示す側面図
【考案を実施するための形態】
【００１５】
本考案の実施の一形態について添付の図面を参照して説明する。
【００１６】
棺台１０は、載置台１２および基台１４を主要な要素として構成されている。載置台１２は棺（柩）を載せる矩形の台であり、概ね長さ１８００ｍｍ、巾４５０ｍｍの平板で構成されている。載置台１２の表側には巾方向に延伸する補強材１６が取り付けられている。補強材１６は載置台１２の長さ方向に等間隔で４本取り付けられている。
【００１７】
載置台１２の裏側には溝１８が設けられている。溝１８は載置台１２の４つの辺とそれぞれ平行な４つの直線部からなる矩形状に形成されている。溝１８の内側には複数のＬＥＤ２０が等間隔で取り付けられている。ＬＥＤ２０は単色でもよく、また多彩な色調の発光が可能なマルチカラーのものを使用することができる。
【００１８】
基台１４は載置台１２を下方から支える台である。基台１４は横板３０と縦板３２の組み合わせによって構成されている。横板３０は載置台１２より一回り程大きく、概ね長さ１９００ｍｍ、巾６００ｍｍの平板で構成されている。横板３０の裏側には巾方向に延伸する補強材３４が取り付けられている。補強材３４は横板３０の長さ方向に等間隔で４本取り付けられている。縦板３２は横板の長辺および短辺に対応する２枚の長尺の板および２枚の短尺の板の計４枚で構成されている。４枚の縦板３２は高さ方向の中央辺りでそれぞれ対応する横板３０の各辺に取り付けられている。これにより横板３０の上部には縦板３２によって仕切られた凹状の空間が形成される。
【００１９】
横板３０の表側には支柱４０が取り付けられている。支柱４０は４枚の板を矩形状に組み合わせた中空の柱であり、上部に取り付けられた載置台１２を下方から支持する。支柱４０の内側にはＬＥＤ２０と電気的に接続される配線が収納されており、横板３０の裏側に取り付けられたバッテリーボックス４２から電源の供給を受けられるようになっている。バッテリーボックス４２には家庭用コンセントから充電可能な充電池が内蔵されている。支柱４０と４枚の縦板３２の間の支柱４０を囲繞する凹状の空間は花卉類を供えるための装飾台４４として機能する。横板３０の裏側には移動用のキャスター４６が取り付けられている。
【００２０】
以上のように構成される棺台１０は、図６に示すように、載置台１２の上に棺（柩）５０を載置し、装飾台４４に花卉類５２を供えた状態で使用する。花卉類５２は縦板３２によって下部が隠れるようになっているため、鉢植えの状態のまま供えることも可能である。装飾台４４に供えられた花卉類５２はＬＥＤ２０によって上方から照射され、参列者等が側方から見たときに陰影等が美しく表出されるようになっている。また、従来は棺の周囲に花を供え、棺を花で囲むような演出が一般的であったが、本考案によると、花の上に棺を安置しているかのような斬新な演出を施すことができる。
【符号の説明】
【００２１】
１０  棺台
１２  載置台
１４  基台
１６  補強材
１８  溝
２０  ＬＥＤ
３０横板
３２縦板
４０支柱
４４装飾台
５０棺
５２花卉類
【図１】
0003200180.tif 000003
【図２】
0003200180.tif 000004
【図３】
0003200180.tif 000005
【図４】
0003200180.tif 000006
【図５】
0003200180.tif 000007
【図６】
0003200180.tif 000008